(57)【要約】  下着に配置される吸収性衛生物品が提供される。前記吸収性衛生物品は、液体透過性のトップシートと、バックシートと、前記トップシート及び前記バックシートの間に配置された吸収性コアと、を備える。前記トップシートは、半透明材料であり、前記トップシートには、少なくとも１つのバックグラウンド領域と、第１の固有色を有する少なくとも１つの着色領域を画定する着色パターンが設けられている。前記バックシートの前記トップシートを向く側は、第２の色を有し、内部エリアに位置付けられたバックグラウンド領域は、前記エッジエリアに位置付けられたバックグラウンド領域よりも高いＬ＊値を有する。
2019516464.tif 000002
【特許請求の範囲】
【請求項１】
平坦な構成になっている場合に縦方向延在線Ｘ及び横方向延在線Ｙを有する、下着に配置するための吸収性衛生物品（１００）であって、
液体透過性のトップシート（１）と、バックシート（２）と、前記トップシート及び前記バックシートの間に配置された吸収性コア（３）であって、Ｘ−Ｙ平面で前記吸収性コアを包囲するコア周縁（６）を有する吸収性コアと、を備え、
前記吸収性衛生物品は、
Ｘ−Ｙ平面で前記吸収性衛生物品を包囲する物品周縁（４）であって、前記吸収性コアのコア周縁（６）と交差しない物品周縁（４）と、
前記吸収性コアのコア周縁（６）の外側であって前記物品周縁（４）の内側のエリアとして画定されたエッジエリア（５）と、
前記吸収性コアのコア周縁（６）の内側の内部エリア（７）と、
をさらに有し、
前記トップシート（１）及び前記バックシート（２）は、前記エッジエリア（５）で相互に結合されており、
前記トップシート（１）は、半透明材料から成り、前記トップシート（１）には、少なくとも１つのバックグラウンド領域（１１）と、第１の固有色を有する少なくとも１つの着色領域（１０）とを画定する着色パターンが設けられており、
前記第１の固有色を有する前記着色領域の一部（１０）は、前記内部エリア（７）に位置付けられており、前記第１の固有色を有する前記着色領域の一部（１０’）は、前記エッジエリア（５）に位置付けられており、
前記バックグラウンド領域の一部（１１）は、前記内部エリア（７）に位置付けられており、前記バックグラウンド領域の一部（１１’）は、前記エッジエリアに位置付けられており、
前記バックシート（２）の前記トップシートを向く側（２１）は、第２の色を有し、前記内部エリア（７）に位置付けられた前記バックグラウンド領域（１１）は、前記エッジエリア（５）に位置付けられた前記バックグラウンド領域（１１’）よりも高いＬ＊値を有する、物品。
【請求項２】
前記内部エリア（７）に位置付けられた前記バックグラウンド領域（１０）の前記Ｌ＊値は、前記エッジエリア（５）に位置付けられた前記バックグラウンド領域（１０’）の前記Ｌ＊値よりも少なくとも５単位高い、請求項１に記載の吸収性衛生物品。
【請求項３】
前記着色領域（１０）の前記固有色と、前記バックグラウンド領域（１１）の前記固有色との色差（ΔＥinherent）は、少なくとも２である、請求項１又は２に記載の吸収性衛生物品。
【請求項４】
前記内部エリア（７）に位置付けられた前記着色領域（１０）と、前記内部エリア（７）に位置付けられた前記バックグラウンド領域（１１）との間の色差（ΔＥinner）は、前記エッジエリア（５）に位置付けられた前記着色領域（１０’）と、前記エッジエリア（５）に位置付けられた前記バックグラウンド領域（１１’）との間の色差（ΔＥedge）よりも高い、請求項１〜３のいずれか１項に記載の吸収性衛生物品。
【請求項５】
ΔＥinnerは、少なくとも２である、請求項４に記載の吸収性衛生物品。
【請求項６】
ΔＥinner−ΔＥedgeは、少なくとも２である、請求項４又は５に記載の吸収性衛生物品。
【請求項７】
前記内部エリア（７）に位置付けられた前記バックグラウンド領域（１０）の前記Ｌ＊値は、少なくとも７５である、請求項１〜６のいずれか１項に記載の吸収性衛生物品。
【請求項８】
前記着色領域は、前記トップシートの総面積を基準に１〜９０面積％を覆っており、及び／又は
前記エッジエリアに位置付けられた前記着色領域は、前記エッジエリアを基準に１〜９０面積％を覆っており、及び／又は
前記内部エリアに位置付けられた前記着色領域は、内部エリアを基準に１〜９０面積％を覆っている、請求項１〜７のいずれか１項に記載の吸収性衛生物品。
【請求項９】
前記着色領域によって覆われた前記エッジエリアの面積百分率と、前記着色領域によって覆われた前記内部エリアの面積百分率との比は、１０：１〜１：１０である、請求項１〜８のいずれか１項に記載の吸収性衛生物品。
【請求項１０】
１つの連続するバックグラウンド領域及び多数の着色領域、又は
多数のバックグラウンド領域及び１つの連続する着色領域、又は
多数のバックグラウンド領域及び多数の着色領域を備える、請求項１〜９のいずれか１項に記載の吸収性衛生物品。
【請求項１１】
前記着色パターンは、前記吸収性衛生物品の縦方向延在線に沿う方向に繰り返され、前記縦方向延在線に沿う前記吸収性衛生物品の長さより短いか、等しい繰り返し単位長さを有し、又は前記着色パターンは、前記吸収性衛生物品の横方向延在線に沿う方向に繰り返され、前記縦方向延在線に沿う前記吸収性衛生物品の幅よりも短いか、等しい繰り返し単位長さを有する、請求項１〜１０のいずれか１項に記載の吸収性衛生物品。
【請求項１２】
失禁用パッド又はパンティライナである、請求項１〜１１のいずれか１項に記載の吸収性衛生物品。
【請求項１３】
前記吸収性衛生物品の前記縦方向延在線に沿って相互に向かい合って配置されたフロントエンド及びリアエンドと、前記フロントエンド及び前記リアエンドの間に配置された中央領域であって、前記吸収性衛生物品の前記縦方向延在線の少なくとも５０％を構成する中央領域と、を有し、前記横方向延在線における前記吸収性衛生物品の幅は、前記中央領域内でバックエンドから縦方向に離れるにつれて少しずつ増加する、請求項１〜１２のいずれか１項に記載の吸収性衛生物品。
【請求項１４】
請求項１〜１３のいずれか１項に記載の吸収性衛生物品の製造方法であって、
半透明の液体透過性のトップシート基材を準備するステップと、
吸収性コアを準備するステップと、
バックシート基材を準備するステップと、
前記吸収性コアの周縁が、前記トップシート基材及び前記バックシート基材それぞれの周縁の内側に位置付けられるように、前記吸収性コアを前記トップシート基材及び前記バックシート基材の間に配置するステップと、
前記吸収性コアの前記周縁の外側のエリアにおいて、第１の基材と第２の基材とを結合するステップと、を備え、
前記トップシート基材には、少なくとも１つのバックグラウンド領域と、第１の固有色を有する少なくとも１つの着色領域とを画定する着色パターンが設けられ、
前記バックシート基材の前記トップシートの方を向く面は、第２の固有色を有し、
前記第１の固有色を有する前記着色領域の一部（１０）が、前記内部エリア（７）に位置付けられ、前記第１の固有色を有する前記着色領域の一部（１０’）が、前記エッジエリア（５）に位置付けられるように、前記トップシート基材及びバックシート基材は、位置合わせされ、
前記バックグラウンド領域の一部（１１）は、前記内部エリア（７）に位置付けられ、前記バックグラウンド領域の一部（１１’）は、前記エッジエリアに位置付けられ、
前記内部エリア（７）に位置付けられた前記バックグラウンド領域（１１）は、前記エッジエリア（５）に位置付けられた前記バックグラウンド領域（１１’）よりも高いＬ＊値を有し、前記Ｌ＊値は、本明細書で説明された色測定方法により測定される、方法。
【請求項１５】
前記吸収性コアを前記トップシート基材及び前記バックシート基材の間に配置する前記ステップより前に、トップシート基材に前記着色パターンが設けられる、請求項１４に記載の方法。
【発明の詳細な説明】
【技術分野】
【０００１】
本発明は、吸収性物品及び当該吸収性物品の製造方法に関する。
【背景技術】
【０００２】
下着に配置される吸収性衛生物品は周知であり、例えば失禁に悩まされる人又は生理中の女性によって使用されてもよい。
【０００３】
さらに、当該技術分野において、着用者に物品の正しい配置をガイドするとともに着用者の物品の吸収する能力への信頼性を高めるために、そのような物品のトップシート側から見える印刷パターンを提供して物品の吸収ゾーンを目立たせることは、広く普及している。
【０００４】
そのような印刷パターンを提供する１つの提案が特許文献１に開示されている。
【０００５】
特許文献１の印刷パターンは、吸収性物品の延在線と一致し、それによって前記パターンが非常に同じように任意の２つの物品上に縦方向及び横方向の両方に配置されている。しかしながら、印刷パターンを、高速の製造プロセス中、正確な配置かつ縦方向及び横方向の両方に、吸収物品上に配置するのに必要な装置は、非常に高価である。
【０００６】
それ故に、当該技術分野において、正確な位置かつ縦方向及び横方向の両方において印刷を行うことができる印刷装置を用いずに、吸収ゾーンを表示することができるようになることに対するニーズがある。
【先行技術文献】
【特許文献】
【０００７】
【特許文献１】米国特許出願公開第２０１３／００５３８０９号
【発明の概要】
【発明が解決しようとする課題】
【０００８】
本発明の１つの目的は、当該技術分野における上記ニーズを少なくとも部分的に満足させることである。
【課題を解決するための手段】
【０００９】
したがって、平坦な構成になっている場合に縦方向延在線Ｘ及び横方向延在線Ｙを有する、下着に配置するための吸収性衛生物品が開示される。
【００１０】
前記物品は、液体透過性のトップシートと、バックシートと、前記トップシート及び前記バックシートの間に配置された吸収性コアと、を備える。
【００１１】
前記吸収性コアは、Ｘ−Ｙ平面で前記コアを包囲するコア周縁と、Ｘ−Ｙ平面で前記物品を包囲する物品周縁と、を有する。前記物品周縁は、前記吸収性コアのコア周縁と交差しない。
【００１２】
さらに、前記物品は、前記吸収性コアのコア周縁の外側であって前記物品周縁の内側のエリアとして画定されたエッジエリアと、前記吸収性コアのコア周縁の内側の内部エリアと、を有する。
【００１３】
前記トップシート及び前記バックシートは、前記エッジエリアで相互に結合されている。
【００１４】
前記トップシートは、半透明材料から成り、前記トップシートには、少なくとも１つのバックグラウンド領域と、第１の固有色を有する少なくとも１つの着色領域とを画定する着色パターンが設けられている。さらに、前記第１の固有色を有する前記着色領域の一部は、前記内部エリアに位置付けられており、前記第１の固有色を有する前記  着色領域の一部は、前記エッジエリアに位置付けられている。前記バックグラウンド領域の一部は、前記内部エリアに位置付けられており、前記バックグラウンド領域の一部は、前記エッジエリアに位置付けられている。
【００１５】
前記バックシートの前記トップシートの方を向く側は、第２の色を有し、前記内部エリアに位置付けられた前記バックグラウンド領域は、前記エッジエリアに位置付けられた前記バックグラウンド領域よりも高いＬ＊値を有する。
【００１６】
本発明者らは、本開示による吸収性物品において、前記内部エリアに位置付けられた前記着色パターンの部分を前記内部エリアの対応するバックグラウンド領域と見分けることよりも、前記物品の前記エッジエリアに位置付けられている前記着色パターンの部分を、前記エッジエリアの対応するバックグラウンド領域と見分けることが難しいことを見出した。
【００１７】
よって、本開示の物品において、前記印刷パターンは、前記エッジエリアで見えなくなる傾向を有する。このようにして、前記物品の前記内部エリアは、前記吸収エリアを構成し、より明確に表示されている。
【００１８】
さらに、そのような吸収性衛生物品を製造する方法が開示されている。
【図面の簡単な説明】
【００１９】
【図１ａ】吸収性衛生物品の上面図を示している。
【図１ｂ】図１ａの吸収性物品の断面を示している。
【発明を実施するための形態】
【００２０】
略平面構造にある吸収性衛生物品１００の上面図が図１ａに示されている。また、略平面構造にある吸収性衛生物品１００の断面図が、図１ｂに示されている。
【００２１】
吸収性衛生物品は、トップシート１と、バックシート２と、トップシート及びバックシートの間に配置された吸収性コア３と、を備える。
【００２２】
吸収性衛生物品は、トップシート１が着用者の方を向くように着用されるように適合され、それによって、経血又は尿等の液体排泄物はトップシート１によって受け止められて、その後、吸収性コア３によって吸収される。
【００２３】
「吸収性衛生物品」は、本明細書に言及されるように、着用者から排泄された尿又は経血等の流体を捕集して吸収するように、下着のクロッチ領域に着用される生理用ナプキン、パンティライナ又は失禁用パッドであってもよい。吸収性衛生物品は、使い捨て吸収性物品である場合があり、吸収性衛生物品は、一回使用した後に捨てられることを意図しているか、又は再使用可能な吸収性物品であってもよい。吸収性衛生物品は、特に、女性、若しくは男性、又は場合によっては男女の区別がない人によって着用されるように適合された失禁用パッドであってもよい。
【００２４】
吸収性衛生物品１００は、平坦化された構造にあるときの縦方向延在線Ｘ及び横方向Ｙ、並びに厚さ方向延在線Ｚを有する。
【００２５】
吸収性衛生物品は、Ｘ−Ｙ平面で物品を包囲する周縁４を有する（以下では「物品周縁」と称する）。トップシート１及びバックシート２の間に配置された吸収性コア３は、Ｘ−Ｙ平面で吸収性コアを包囲する周縁６を有する（以下では「コア周縁」と称する）。
【００２６】
コア周縁６は、物品周縁４の内側にあり、かつ物品周縁４と交差しない。物品周縁及びコア周縁の間のエリア、すなわち、物品周縁の内側及びコア周縁の外側のエリアは、本明細書ではエッジエリア５と呼ばれる。
【００２７】
コア周縁の内側のエリアは、以下では、内部エリア７と呼ばれる。
【００２８】
本発明の実施形態では、コア周縁の周りの任意の点でのエッジエリアの最小幅であって、Ｘ−Ｙ平面において物品のコア周縁から物品周縁までの最短距離とされる距離は、２ｍｍ以上であり、３ｍｍ程度以上であり、例えば５ｍｍ以上であり、及び／又は、コア周縁の任意の点でのエッジエリアの最大幅であって、Ｘ−Ｙ平面において物品のコア周縁から物品周縁までの最短距離とされる距離は、コア周縁の任意の点で、４０ｍｍ以下であり、例えば２５ｍｍ以下であり、例えば１５ｍｍ以下である。
【００２９】
トップシート１及びバックシート２は、例えば接着、溶接、例えば超音波又はレーザを用いる溶接、機械的な結合、例えばエンボス加工又は圧縮の方式による機械的な結合等、又はいくつかの他の適切な結合方法、例えば熱接合等の結合方法によって、エッジエリアで相互に結合されている。
【００３０】
本開示による吸収性衛生物品は、着用者によって特定の向きに着用されるように設計されてもよい。そのような吸収性衛生物品は、縦方向延在線に沿って、着用者の腹部領域に近い側に位置付けられるように適合されたフロントエンドと、着用者の背部領域に近い側に位置付けられるように適合されたリアエンドと、を有する。
【００３１】
本開示による吸収性衛生物品は、当該技術分野において従来のように、用途及び意図したユーザに応じて異なる形状を有してもよい。本開示の内容において、「形状」は、Ｘ−Ｙ平面での物品の外面形状に関する。物品は、生理用ナプキンによくあるような、物品の横方向中心線に関して実質的に対称である略楕円形状を有してもよいか、又は物品の横方向中心線に関して非対称であってもよい。吸収性物品は、縦方向の側方端部の一部に沿う羽部を有してもよい。
【００３２】
物品は、代替的には、図１ａに示されているように、より幅広のフロント領域及びより幅狭のリア領域を有する略三角形のテーパ形状を有してもよい。例えば、吸収性物品１００は、物品の縦方向延在線に沿って相互に向かい合ったフロントエンド１１０及びリアエンド１２０と、フロントエンド及びリアエンドの間に配置された中央領域１３０と、を有してもよい。中央領域は、物品の縦方向延在線の少なくとも６０％、少なくとも７０％程度、例えば少なくとも８０％、又は少なくとも９０％を構成し、中央領域内で横方向延在線における物品の幅は、バックエンドから縦方向に離れるにつれて少しずつ増加する。
【００３３】
トップシート１は、吸収性コア３に向かって液体がトップシート１を通過するのを可能にするように透液性材料で作られている。さらに、トップシートは、半透明材料で作られている。
【００３４】
液体透過性のトップシート１は、ユーザの体と直接接触することを意図されていることを考慮すると、トップシートは、好ましくは吸収性製品が着用されているときに乾きやすさ及び柔らかさ等の特性を示す材料から製造される。また、トップシートは、皮膚に対して刺激が少なく、繰り返し濡れる場合でも乾いた状態を保つ柔らかく繊維のような表面を有することが望まれている。トップシートは、不織布材料、例えばスパンボンド不織布材料、カード不織布材料、スルーエア（thru-air）不織布材料、スパンレース不織布（水流交路（hydroentangled））材料、メルトブロー不織布材料、ウェットレイド（wetlaid）不織布材料、又はこれらの組み合わせで構成されるか、又は含んでもよい。当該不織布材料は、セルロース又は綿等の天然繊維、又は代替的には、例えばポリプロピレン（ＰＰ）、ポリエチレン（ＰＥ）、ポリエステル（ＰＥＴ）、ポリアミド（ＰＡ）、又はこれらの組み合わせ等の合成繊維のいずれかをベースとしてもよい。組み合わせたものを使用する場合、この組み合わせたものは、異なる天然ポリマ及び／又は合成ポリマの混合繊維であってもよいが、各繊維は異なるポリマ（例えばＰＰ／ＰＥ二成分繊維又はＰＰ／ＰＥ共重合体）を含有してもよい。
【００３５】
トップシートは、ユーザの体に最も近い表面を乾いた状態に保つために有孔の疎水性不織布材料で構成されるか、又は含んでもよい。さらに、有孔の疎水性不織布材料の孔は、繊維のような心地の良い感触をトップシートに付与することができる。
【００３６】
トップシートは、有孔のプラスチックフィルムでさらに構成されるか、又は含んでもよい。そのような有孔の疎水性不織布材料の孔の直径は、材料の繊維間の距離よりも大きい。このようにして、トップシートの孔を介して液体を下部の吸収性コアに導くことができる。
【００３７】
また、液体透過性のトップシートは、材料のいくつかの層、すなわち積層体を備えてもよい。そのような積層体は、例えば材料の第１の層と、第２の層とを備えてもよい。代替的には、積層体は、同一の材料、又は有孔のフィルム／不織布、有孔のフィルム／有孔のフィルム、不織布／不織布、有孔の不織布／不織布、及び有孔の不織布／有孔の不織布といった組み合わせで構成されてもよい。
【００３８】
トップシートは、再生可能材料から作られていてもよい。
【００３９】
吸収性コア３は、吸収性衛生物品１００のトップシート１及びバックシート２の間の吸収性構造体である。吸収性コア３は、任意の従来の種類であってもよい。広く存在する吸収性材料の例としては、セルロースフラッフパルプ（cellulosic fluff pulp）、薄い織物層、高吸収性ポリマ、いわゆる超吸収性ポリマ（ＳＡＰ）、吸収性発泡材料、吸収性不織布又は同様のものが挙げられる。超吸収性材料として使用するのに適した有機材料は、天然材料、例えば多糖類、ポリペプチド等の天然材料だけでなく、合成材料、例えば合成ハイドロゲルポリマ等の合成材料を含む。そのようなハイドロゲルポリマは、例えば、ポリアクリル酸、ポリアクリルアミド、ポリビニルアルコール、ポリアクリレート、ポリアクリルアミド、ポリビニルピリジン等のアルカリ金属塩を含む。他の適したポリマは、加水分解アクリロニトリルグラフト化澱粉、アクリル酸グラフト化澱粉、及びイソブチレン無水マレイン酸共重合体、並びにそれらの混合物を含む。ハイドロゲルポリマは、好ましくは材料を実質的に水に不溶にするために軽度に架橋される。好ましい超吸収性材料は、さらに表面が架橋されており、それによって粒状、繊維状、フレーク状、球状等の超吸収体の外面又はシェルは、超吸収体の内部よりも高い架橋度を持つ。超吸収性材料は、吸収性複合材料に使用されるのに適した、粒状、繊維状、フレーク状、球状等を含む任意の形状であってもよい。
【００４０】
吸収性コアにおいて、セルロースフラッフパルプと、超吸収体とを組み合わせることは一般的である。液体捕集能力、液体分配能力、及び液体貯留能力の点で異なる性質を有する異なる材料の層を備える吸収性コアを有することも従来通りである。
【００４１】
バックシート２は、その目的のために当該技術分野で広く使用されている任意の材料であってもよい。バックシートは、少なくとも実質的に、又は完全に液体不透過性であってもよい。
【００４２】
バックシートは、プラスチックフィルム、例えばポリエチレン又はポリプロピレンフィルム等のプラスチックフィルム、例えば液体不透過性材料で処理されてもよい不織布材料、若しくは液体の浸透に抵抗する疎水性不織布材料、又はプラスチックフィルム及び不織布材料を備える積層体で構成されてもよい。液体バリア材料の他の種類としては、例えば独立気泡（closed-cell）プラスチック発泡体又は種々の液体バリア積層体等を液体不透過性バックシートとして使用することもできる。バックシートは、液体がそこを通過することを妨げたまま、吸収性コアから蒸気を逃がすことを可能にするように、空気及び蒸気の透過性を持っていることが好ましい。通気性のバックシート材料の例としては、多孔質ポリマフィルム、スパンボンド層及びメルトブロー層の不織布積層体、多孔質ポリマフィルム及び不織布の積層体が挙げられる。
【００４３】
バックシートの別の適した設計は、バックシートがユーザの皮膚と接触し得る柔らかくべたつかない部分が存在するように、吸収性衛生物品に合わせた外観を有する繊維不織布外層を有する積層体を使用することである。
【００４４】
「色」は、本明細書に言及されるように、任意の原色、すなわち白、黒、赤、青、紫、橙、黄、緑、及び藍を含むだけでなく、それらを任意に淡くした色（declination）又はそれらの混合色を含む。
【００４５】
本開示の内容において、色、例えばバックグラウンド領域及び着色領域の色は、反射分光光度計による色のＬ＊値、ａ＊値、及びｂ＊値によって測定される。
【００４６】
吸収性衛生物品のＬ＊値、ａ＊値、及びｂ＊値は、物品周縁の内側に位置する物品５の体の方を向く面１０から測定される。吸収性衛生物品の構成要素、例えばトップシート又はバックシートの固有のＬ＊値、ａ＊値、及びｂ＊値は、そのような材料の周縁の内側に位置するその材料の表示面から測定される。
【００４７】
色差は、方程式によってＬ＊値、ａ＊値、及びｂ＊値を用いて計算される。
【００４８】
ΔＥ＝［（Ｌ＊Ｘ−Ｌ＊Ｙ）２＋（ａ＊Ｘ−ａ＊Ｙ）２＋（ｂ＊Ｘ−ｂ＊Ｙ）２］１／２  （Ｉ）
【００４９】
方程式（Ｉ）の前記「Ｘ」は、第１の測定点を示し、例えば物品の内部エリアに位置付けられたバックグラウンド領域、物品のエッジエリアに位置付けられたバックグラウンド領域、トップシート材料それ自体のバックグラウンド領域等を示す場合がある。「Ｙ」は、第１の領域の色に対して比較される第２の領域の色を示す場合がある。Ｘ及びＹは、同時に同一の２つの測定点であるべきではない。２つ以上の色が使用されているところでは、前記「Ｘ」値及び前記「Ｙ」値は、それらの中でも測定点を交互に含む。本明細書のΔＥ計算の鍵は、前記「Ｘ」値及び前記「Ｙ」値が画面上の同一の測定点から生じるべきではないということである。
【００５０】
本明細書の内容において、色、すなわちＬ＊値、ａ＊値、及びｂ＊値は、米国マサチューセッツ州ダンバーズのテシコンから得られるテシコン  スペクトロデンス  プレミアム測定装置を使用して測定した。
【００５１】
測定は、２３±１℃の間の室温及び５０±１０％の相対湿度で実施した。測定した物品は、測定より前に少なくとも２４時間これらの測定条件で順応させた。
【００５２】
分光光度計をＣＩＥＬａｂ色系及びユーザマニュアルによる設定Ｄ５０／２°／ｎｏＰＯＬ／ＡＢＳにセットして、１．５ｍｍ又は３ｍｍのアパーチャを装備した。
【００５３】
互いに比較されるべき全ての測定が、同一のアパーチャを使用してなされる限りにおいて、３ｍｍ又は１．５ｍｍのいずれかのアパーチャ（aperture）が使用されてもよい。アパーチャは、好ましくは色が測定されるべき領域がアパーチャよりも大きくなるように選択される。
【００５４】
本開示に報告される測定においては、１．５ｍｍのアパーチャを使用した。
【００５５】
分光光度計は、試料分析より前に、機器とともにベンダから支給される白色リファレンスタイルを利用してキャリブレートされる。キャリブレーションは、ユーザマニュアルに記載されているメーカの指示に従って行われる。分析されるべき付与した色を含有する吸収性物品上の任意の試料点は、選択されてもよい。
【００５６】
測定対象は、３枚の白色の標準的なオフィス用印刷用紙のスタックの一番上に配置され（スウェーデンのオフィスデポから得られるエブリディ  ペーパー（Everyday paper）８０ｇ／ｍ３）、次いで、白色の不透明材料のベンチの上に配置される。スタックの一番上の測定されたＬ＊値は、９６±１であった。
【００５７】
測定対象は、略平坦な状態にあり、かつシワがないものであるべきである。
【００５８】
報告された値ごとに、色の読み取りは、異なる位置で１０回行われる。可能なら、（例えば、問題の要素上の付与した色の大きさが、１０点の離散的に異なって重複しない試料点を有する能力が制限されない）２つ試料点が重複しないように、それぞれの読み取りは実質的に異なる領域で実施されるべきである。付与した着色領域が、試料点を重複させる必要がある大きさである場合、試料は、任意の２つの試料点の間の重複部分を最小化するように選択された試料点で撮影されるべきである。読み取りは平均されて、特定の色について報告されたＬ＊値、ａ＊値、及びｂ＊値を得る。
【００５９】
吸収性衛生物品に使用される材料の種類についてのＣＩＥＬａｂ色系によるＬ＊値、ａ＊値、及びｂ＊値を測定するのに適した任意の装置は、本願に開示された値を得るように使用することができることが予想される。
【００６０】
本開示の内容において、材料の固有色（Ｌ＊値、ａ＊値、又はｂ＊値）と、組み立てられた吸収性衛生物品における色との間に差が設けられる。吸収性衛生物品についての対応する値が組み立てられた物品について測定されるとともに、固有色が材料それ自体について測定される。色が固有色を示すように表示されていない限り、値が組み立てられた吸収性衛生物品について測定されるということが理解されるべきである。
【００６１】
本開示の内容において、本明細書に開示された色測定方法により実施されることが理解されるべきである。
【００６２】
トップシートは、半透明材料で作られている。すなわち、トップシートは、光が通過することを可能にする。トップシート材料は、少なくとも８０、少なくとも８５程度、例えば少なくとも９０であり、多くても９６である固有のＬ＊値を有してもよい。
【００６３】
トップシートには、印刷パターンが設けられており、印刷パターンは少なくとも１つのバックグラウンド領域（１１）と、第１の固有色を有する少なくとも１つの着色領域（１０）とを画定する。バックグラウンド領域には、印刷が施されていない。
【００６４】
本開示の内容において、特定の色を有する着色領域、例えば第１の固有色を有する着色領域は、特定の色が実質的に均一である境界内の領域である。
【００６５】
物品１００は、印刷パターン１０の一部が吸収性衛生物品の内部エリア７に位置付けられ、印刷パターン１０’の一部が吸収性衛生物品のエッジエリア５に位置付けられるように組み立てられている。本開示の内容において、これは、内部エリアからエッジエリアまで延在する、第１の固有色を有する１つの連続する着色領域２０、及び／又は、内部エリアのみに位置付けられるべき第１の固有色を有する第１の着色領域１０、及び、エッジエリアのみに位置付けられるべき第１の固有色を有する第２の着色領域１０’を可能にする。
【００６６】
さらに、物品１００は、バックグラウンド領域１１の一部が吸収性衛生物品の内部エリア７に位置付けられ、バックグラウンド領域１１’の一部が吸収性衛生物品のエッジエリア５に位置付けられるように組み立てられている。本開示の内容において、これは、内部エリアからエッジエリアまで延在する、１つの連続するバックグラウンド領域、及び／又は、内部エリアのみに位置付けられるべき第１のバックグラウンド領域、及びエッジエリアのみに位置付けられるべき第２のバックグラウンド領域を可能にする。
【００６７】
印刷パターンは、図１ａに図示されるように、単一の連続した着色領域及び多数のバックグラウンド領域を設けてもよく、すなわちバックグラウンド領域が連続した着色領域にある個々の島々を示してもよい。又は、多数の着色領域及び単一の連続したバックグラウンド領域を設けてもよく、すなわち印刷領域が連続したバックグラウンド領域にある個々の島々を示してもよい。又は多数の着色領域及び多数のバックグラウンド領域を設けてもよい。印刷パターンが多数の印刷領域を設ける場合、吸収性衛生物品は、物品の内部エリアからエッジエリアまで延在する第１の固有色を有する少なくとも１つの着色領域が存在するように、又は物品の内部エリアに第１の固有色を有する第１の着色領域が少なくとも存在し、かつ物品のエッジエリアに第１の固有色を有する第２の着色領域が少なくとも存在するように組み立てられている限りにおいて、略同一の色、又は任意選択的にはパターンを有してもよい印刷領域のそれぞれ１つは、異なる固有色を有する異なる着色領域を備えてもよい。
【００６８】
本開示の内容において、２つの領域の間のΔＥが２未満であり、好ましくは１未満である場合、２つの着色領域は、同一の色を有すると見なされる。
【００６９】
着色領域は、トップシートの総面積を基準に、１面積％以上、２面積％程度以上、例えば５面積％以上であり、９０面積％以下、５０面積％程度以下、例えば２０面積％以下を覆ってもよい。
【００７０】
着色領域は、エッジエリアを基準に、１面積％以上、例えば２面積％以上、例えば５面積％以上であり、９０面積％以下、例えば５０面積％、例えば２０面積％以下を覆ってもよい。
【００７１】
着色領域は、中央エリアを基準に、１面積％以上、２面積％程度以上、例えば５面積％以上であり、９０面積％以下、５０面積％程度以下、例えば２０面積％以下を覆ってもよい。
【００７２】
着色領域によって覆われたエッジエリアの面積百分率と、着色領域によって覆われた内部エリアの面積百分率との比は、１０：１〜１：１０、５：１〜１：５程度、例えば２：１〜１：２であってもよい。
【００７３】
バックシートは、半透明であってもよく、又は不透明であってもよい。少なくともバックシートのトップシートの方を向く側には、トップシートの固有のＬ＊値よりも著しく低く、かつ吸収性コアのトップシートの方を向く面の固有のＬ＊値よりも低い固有のＬ＊値を有する色が設けられている。
【００７４】
トップシート材料が半透明であると、吸収性衛生物品の内部エリア７に位置付けられたバックグラウンド領域１１は、エッジエリア５に位置付けられたバックグラウンド領域１１’よりも高いＬ＊値を得るという結果になる。
【００７５】
バックシートのトップシートの方を向く側の色は、組み立てられたときに少なくとも吸収性衛生物品のエッジエリアの一部となるバックシートのエリア内で、実質的に同一であってもよい。
【００７６】
本開示の内容において、「実質的に同一の色」を有するエリアは、同一のエリアの任意の２つの領域の間の色差（ΔＥ）は、多くても２、好ましくは多くても１であるものとして解釈されるべきである。
【００７７】
代替的には、最も高い固有のＬ＊値を有するバックシートのトップシートを向く側のその一部が、吸収性コアのトップシートを向く側の固有のＬ＊値よりも低い固有のＬ＊値を有する限りにおいて、バックシートのトップシートを向く側の色は表面にわたって変化してもよい。
【００７８】
色は、当業者に周知の任意の方法でバックシートに施されて、所望の色になってもよい例えば、バックシートは固有色を有する材料であってもよいか、又は備えていてもよく、又は、バックシートに色を付与するように印刷処理を施されていてもよい。いくつかの実施形態において、バックシートは、プラスチックフィルムを備えるか、又は構成され、プラスチックフィルムは、着色プラスチック材料から作られていてもよい。
【００７９】
トップシートの半透明性に起因して、バックシートのトップシートの方を向く側は、半透明のトップシートから少なくとも部分的に見ることができ、その結果エッジエリア内のバックグラウンド領域をより暗く見せるだろう。
【００８０】
吸収性コア及びトップシートの間に位置付けられた吸収性コア及び／又は他の層は、内部エリアに位置付けられたバックグラウンド領域がエッジエリアに位置付けられたバックグラウンド領域よりもより高いＬ＊値を有する、すなわち明るく見えるように選択される。
【００８１】
吸収性衛生物品の実施形態において、吸収性衛生物品の内部エリア７に位置付けられたバックグラウンド領域１０のＬ＊値は、少なくとも７５、少なくとも７８、少なくとも８０、少なくとも８３、少なくとも８７又は少なくとも９０であり、かつ多くても１００、又は多くても９５である。
【００８２】
内部エリア（７）に位置付けられたバックグラウンド領域（１０）のＬ＊値と、エッジエリア（５）に位置付けられたバックグラウンド領域（１０’）のＬ＊値との間の差、以下では「ΔＬ＊background」は、エッジエリア（５）に位置付けられたバックグラウンド領域（１０’）の考えられる最も低いＬ＊値が０だと仮定すると、内部エリア（７）に位置付けられたバックグラウンド領域（１０）のＬ＊値の最大１００％であってもよい。しかしながら、吸収性衛生物品の実施形態において、ΔＬ＊backgroundは、少なくとも５、好ましくは少なくとも７、より好ましくは少なくとも１０、さらにより好ましくは少なくとも２０であり、かつ多くても８０、多くても６０程度、例えば多くても５０であってもよい。
【００８３】
吸収性衛生物品の実施形態において、吸収性衛生物品の内部エリア７に位置付けられた着色領域１０と、内部エリアに位置付けられたバックグラウンド領域１１との間の色差、以下では「ΔＥinner」は、エッジエリア５に位置付けられた着色領域１０’と、エッジエリアに位置付けられたバックグラウンド領域１１’との間の色差、以下では「ΔＥedge」よりも高い。例えば、ΔＥinnerは、ΔＥedge（ΔＥinner−ΔＥedge）よりも少なくとも０．５、好ましくは少なくとも１、より好ましくは少なくとも２、さらにより好ましくは少なくとも３、少なくとも５程度又はさらに少なくとも１０単位だけ高い場合がある。ΔＥedgeであってもよいと仮定すると、（ΔＥinner−ΔＥedge）の上限は、ΔＥinnerである。吸収性衛生物品の実施形態において、（ΔＥinner−ΔＥedge）は、多くてもΔＥinnerの９０％、８０％、７０％、又は５０％である。
【００８４】
吸収性衛生物品の実施形態において、ΔＥinnerは、少なくとも２、好ましくは少なくとも４、より好ましくは少なくとも８、さらにより好ましくは少なくとも１０であってもよい。ΔＥinnerの上限は、内部エリア内のバックグラウンド領域の色に依存して多くても１００であるが、より典型的には多くても８０、多くても６０程度、例えば多くても４０である。
【００８５】
着色パターンは、当該技術分野で広く知られた任意の印刷手段によって、例えば非接触印刷、例えばインクジェット印刷等の非接触印刷、又は接触印刷、例えばグラビア印刷、フレキソ印刷、リソグラフ印刷、及びスクリーン印刷を用いて、又は異なる印刷方法の組み合わせによって、トップシート材料に施されてもよい。例えば、着色パターンの一方の部分は、接触印刷によって施されてもよく、パターンの他方の一部は、非接触印刷によって施されてもよい。パターンは、バックシートから離れた方を向くトップシートの表面、又はバックシートの方を向くトップシートの表面に設けられてもよい。又は代替的には、パターンの一部は、バックシートの方を向くトップシートの表面に設けられるとともに、パターンの一部が、バックシートから離れた方を向くトップシートの表面に設けられてもよい。
【００８６】
実施形態において、着色パターンは、印刷方向に沿って繰り返される。印刷方向は、典型的には製品が製造される機械方向と平行であり、例えば吸収性物品の縦方向延在線又は横方向延在線と略平行であってもよく、吸収性物品は、縦方向延在線又は横方向延在線にそれぞれ沿う吸収性物品の最大長さよりも短いか、又は等しい繰り返し単位長さを有する。
【００８７】
繰り返し単位の長さは、例えば１ｃｍ以上、２ｃｍ程度以上、例えば３ｃｍ以上であり、かつ２５ｃｍ以下、１５ｃｍ程度以下、例えば１０ｃｍ以下の範囲であってもよい。
【００８８】
上述されているように、着色パターンが繰り返される場合、観察者は、視診によって直ちに繰り返し単位長さを認識し、それ故にパターンの異なる繰り返し単位に印刷パターンの対応する構成要素を認識するだろう。
【００８９】
上述されているように、パターンが繰り返される場合、エッジエリアにおける色の測定に選択されるバックグラウンド領域及び内部エリアにおける色の測定に選択されるバックグラウンド領域は、好ましくはパターンにおいて同一の位置を示すように選択されるが、パターンの２つの異なる繰り返し単位に属している。同様に、エッジエリアにおける色の測定に選択される着色領域及び内部エリアにおける色の測定に選択される着色領域は、好ましくはパターンの２つの異なる繰り返し単位に属しているパターンにおける同一の位置を示すように選択される。
【００９０】
言い換えると、対応する点は、繰り返し方向に沿って、ｎ＊ｕの距離だけ離間している。前記ｎは、ゼロでない整数であり、前記ｕは、繰り返し単位の長さである。対応する点は、繰り返し方向と平行な同一の想像線に沿って配置されている。
【００９１】
代替的には、着色パターンは、吸収性物品の縦方向延在線に沿う方向に繰り返されないか、又は繰り返しされ、縦方向延在線に沿う吸収性物品の最大長さよりも長い繰り返し単位長さを有するか、又はパターンは、吸収性物品の横方向延在線に沿う方向に繰り返してもよく、縦方向延在線に沿う吸収性物品の最大幅よりも長い繰り返し単位を有する。
【００９２】
吸収性衛生物品の実施形態において、トップシートから離れる方を向くバックシートのその表面、すなわち物品の背面の色は、エッジエリア５内の前述したバックグラウンド領域１１’の色に近い色を示す。例えば、その色差（ΔＥ）は、３未満、２程度未満、例えば１未満であってもよい。
【００９３】
当業者によって認識されるように、吸収性衛生物品は、トップシート、吸収性コア及びバックシート以外のさらなる層又は構成要素を備えていてもよい。そのような層又は構成要素は、伸縮性のある糸、液体バリア、湿り気インジケータ、流体捕集層等を含む。
【００９４】
例えば、吸収性衛生物品は、体液の迅速な輸送のための流体捕集層を備えていてもよい。流体捕集層は、開放多孔質構造体を有し、かつ迅速に受け止めて、一時的に所定量の流体を貯留し、さらにそれを下層の吸収性コアに移動させることが可能であるべきである。これは、特に高い含有率のＳＡＰをしばしば有する、薄くて圧縮された今日の吸収性物品にとって重要である。これらの物品は、確かに高い吸収能力を有するが、これらの物品は、時には長い捕集時間を有し、排尿中の数秒以内に放出され得る大量の液体を受け止めることに即座に対処することができない。流体捕集層は、通常は、いわゆる高ロフト材料であり、合成繊維、例えばポリエステル、ポリプロピレン又はそれらの混合物のカーディング及びスルーエア結合によって、又はニーディングによって、製造されてもよい。
【００９５】
さらに、バックシートの外面、すなわちトップシートから離れた方を向くバックシートの表面には、下着内に物品の配置を固定するための締結手段が設けられていてもよい。そのような締結手段は、ホック材料、１つまたは複数の接着性のストリップ、又はスナップボタン等を含むが、当業者に広く知られたそのような手段に限定されない。
【００９６】
本明細書に規定されたような吸収性衛生物品の製造方法も開示される。下着に配置されるのに適した吸収性衛生物品、すなわち吸収性パッドの一般的な製造方法は、当該技術分野で周知であり、一般に、吸収性コアをトップシート基材及びバックシート基材の間に挟むステップと、トップシート基材とバックシート基材とを結合するステップと、任意選択的には、所望の物品周縁を得るように吸収性コアの横方向の外側のエリアから余分な材料を切り取るステップと、を備える。これにより、そのような物品は、前記したように物品周縁、コア周縁、エッジエリア及び内部エリアを画定する。
【００９７】
本開示の方法において、トップシート基材は、半透明材料であり、方法は、着色パターンをトップシートに設けるステップをさらに備え、パターンは、少なくとも１つのバックグラウンドの印刷されていない領域及び少なくとも１つの第１の固有色の着色領域を画定する。トップシート基材には、製品の組み立てプロセス中の任意の段階で、着色パターンが設けられもよく、又は製品の組み立てプロセスより前、及び／又は製品の組み立てプロセスとは別にトップシート基材に既に設けられてもよい。
【００９８】
さらに、バックシート基材のトップシートの方を向く面は、トップシート基材のバックグラウンド領域の固有のＬ＊値よりも低い固有のＬ＊値を有する材料である。
【００９９】
製品の組み立てプロセスにおいて、トップシート基材及びバックシート基材は、バックグラウンド領域の少なくとも一部及び第１の固有色を有する印刷領域の少なくとも一部が物品のエッジエリアに存在するように、及びバックグラウンド領域の少なくとも一部及び第１の固有色を有する印刷領域の少なくとも一部が物品の内部エリアに存在するように配置される。
【実施例】
【０１００】
４つの異なる印刷されたトップシート材料及び４つの異なるバックシート材料から、以下に示すように５つの異なる吸収性衛生製品を組み立てた。
【０１０１】
吸収性材料、すなわち４２０ｇ／ｍ２のパルプ繊維と１５０ｇ／ｍ２のＳＡＰ粒子との混合物をトップシート材料及びバックシート材料の間に挟み、エッジエリアにおいて、トップシート及びバックシートを標準的なホットメルト接着剤を使用して相互に結合した。
【０１０２】
トップシート材料坪量の１８ｇ／ｍ２スパンボンド不織布であった。
・トップシートＡ１は、第１のパターンによって青色印刷を印刷した。
・トップシートＡ２は、第２のパターンによって青色印刷を印刷した。
・トップシートＡ３は、第３のパターンによって青色印刷を印刷した。
・トップシートＢは、灰色印刷を印刷した。
【０１０３】
バックシート材料は、１８ｇ／ｍ２のポリエチレン製バリアフィルムと１８ｇ／ｍ２のスパンボンド不織布との積層体であった。
・バックシート材料Ｉにおいて、バリアフィルムを青色に着色した。
・バックシート材料ＩＩにおいて、バリアフィルムを明るい灰色に着色した。
・バックシート材料ＩＩＩにおいて、バリアフィルムを暗い灰色に着色した。
・バックシート材料ＩＶにおいて、バリアフィルムを灰色に着色した。
【０１０４】
バックシート材料のＰＥフィルム層がトップシートの方を向くように製品を組み立てた。
【０１０５】
【表１】
2019516464.tif 000003
【０１０６】
【表２】
2019516464.tif 000004
【０１０７】
【表３】
2019516464.tif 000005
【０１０８】
【表４】
2019516464.tif 000006
【０１０９】
【表５】
2019516464.tif 000007
【０１１０】
【表６】
2019516464.tif 000008
【０１１１】
上記結果から分かるように、印刷領域及びバックグラウンド領域の間の色差は、一貫して内部エリアよりもエッジエリアの方が低い。これは、内部エリアと比較してエッジエリアの方が、印刷領域をバックグラウンド領域と見分けることが難しいことを意味する。
【符号の説明】
【０１１２】
１  トップシート
２  バックシート
３  吸収性コア
４  物品周縁
５  エッジエリア
６  吸収性コアのコア周縁
７  内部エリア
１０  第１の着色領域／印刷パターン
１０’  第２の着色領域／印刷パターン
１１  バックグラウンド領域
１１’  バックグラウンド領域
２０  着色領域
２１  バックシートのトップシートを向く側
１００  吸収性衛生物品
１１０  フロントエンド
１２０  リアエンド
１３０  中央領域
【図１ａ】
2019516464.tif 000009
【図１ｂ】
2019516464.tif 000010
【国際調査報告】
2019516464.tif 000011
2019516464.tif 000012
2019516464.tif 000013
2019516464.tif 000014
2019516464.tif 000015
2019516464.tif 000016